(57)【要約】【課題】グリース潤滑タイプの軸受の寿命を従来よりも短時間で評価する。【解決手段】グリース潤滑タイプの軸受の寿命を評価する軸受寿命評価方法であって、軸受の寿命よりも短い時間として予め見積られた試験時間について、回転時間とグリースに含まれる基油の残存量との関係を複数の計測値として取得する計測工程と、複数の計測値に基づいて回転時間と基油の残存量との関係を示す回帰線を求めるデータ処理工程と、基油の限界残存量を示す油分限界線と回帰線との交点における回転時間を軸受の寿命とする寿命判定工程とを有する。【選択図】図２
2012137389.tif 000002
【特許請求の範囲】
【請求項１】
グリース潤滑タイプの軸受の寿命を評価する軸受寿命評価方法であって、
軸受の寿命よりも短い期間として予め見積られた試験時間について、回転時間とグリースに含まれる基油の残存量との関係を複数の計測値として取得する計測工程と、
複数の計測値に基づいて回転時間と基油の残存量との関係を示す回帰線を求めるデータ処理工程と、
基油の限界残存量を示す油分限界線と回帰線との交点における回転時間を軸受の寿命とする寿命判定工程と
を有する軸受寿命評価方法。
【請求項２】
計測工程では、軸受の実使用状態に対応する回転条件で軸受を回転させて計測値を取得する請求項１記載の軸受寿命評価方法。
【請求項３】
計測工程では、同一形態の複数の軸受について計測値を取得し、データ処理工程では、回転時間毎に各軸受の計測値の平均値を求め、当該各平均値に基づいて回帰線を求める請求項１または２記載の軸受寿命評価方法。
【請求項４】
グリース潤滑タイプの軸受の寿命を評価する軸受寿命評価装置であって、
軸受を特定の回転条件下で回転させる回転試験機と、
軸受の寿命よりも短い時間として予め見積られた試験時間について、複数の回転時間におけるグリースに含まれる基油の残存量を計測する油分計測器と、
油分計測器から入力される複数の計測値に基づいて回転時間と基油の残存量との関係を示す回帰線を求め、基油の限界残存量を示す油分限界線と回帰線との交点を求め、当該交点における回転時間を軸受の寿命とする演算装置と
を備える軸受寿命評価装置。
【請求項５】
回転試験機は、軸受の実使用状態に対応する回転条件で軸受を回転させる請求項４記載の軸受寿命評価装置。
【請求項６】
演算装置は、同一形態の複数の軸受について油分計測器から入力される計測値について回転時間毎に平均値を求め、当該各平均値に基づいて回帰線を求める請求項４または５記載の軸受寿命評価装置。
【発明の詳細な説明】
【技術分野】
【０００１】
本発明は、軸受寿命評価方法及び装置に関する。
【背景技術】
【０００２】
周知のように、グリースは基油に増稠剤を添加することによりペースト状にした潤滑剤の一種である。基油は、例えば天然の鉱油や人工的に合成した合成油であり、潤滑性能を担うものである。一方、増稠剤は、例えば脂肪酸の金属塩（金属石鹸）や脂肪酸と有機酸を組み合わせた複合石鹸等であり、粘性を付与することにより潤滑対象部位に対する保持性能を確保するためのものである。
【０００３】
転がり軸受には、このようなグリースを潤滑剤として用いるものがあり、このグリース潤滑タイプの転がり軸受の寿命は、使用（回転）することによって徐々に減少する基油の残存量によって支配されることが知られている。すなわち、グリース潤滑タイプの転がり軸受では、基油が初期状態からある量まで減少すると、焼きつき等の異常現象が発生して寿命に至ることが知られている。
【０００４】
従来のグリース潤滑タイプの転がり軸受の寿命評価は、回転試験機で転がり軸受を回転させ、所定の回転数が経過する毎に基油の残存量を順次計測し、当該残存量が所定の限界値に到達した時点（グリース寿命）をもって転がり軸受の寿命とするものである。例えば下記非特許文献には、このようなグリース潤滑タイプの転がり軸受の寿命評価方法が開示されている。
【先行技術文献】
【非特許文献】
【０００５】
【非特許文献１】S. Komatsuzaki, T. Uematsu anda Y. Kobayashi;Change of Grease Characteristics to the End of Lubricaring Greases, NLGI Sporkesman, 63, 12, (2000)22.
【発明の概要】
【発明が解決しようとする課題】
【０００６】
ところで、上記寿命評価方法は、多大な時間を要するものである。すなわち、転がり軸受の形式（種類）にも依るが、転がり軸受を回転試験機でグリース寿命まで回転させるためには、数千から１万時間というオーダーの試験時間を要する。また、このような長時間を必要とする寿命試験を必要に応じて数回行う必要がある場合もあり、このような場合には、数千から１万時間という試験時間に試験回数を乗算した時間が試験時間となるので、上記寿命評価方法は、極めて膨大な時間を要するものである。
【０００７】
本発明は、上述した事情に鑑みてなされたものであり、グリース潤滑タイプの軸受の寿命を従来よりも短時間で評価することを目的とするものである。
【課題を解決するための手段】
【０００８】
上記目的を達成するために、本発明では、軸受寿命評価方法に係る第１の解決手段として、グリース潤滑タイプの軸受の寿命を評価する軸受寿命評価方法であって、軸受の寿命よりも短い期間として予め見積られた試験時間について、回転時間とグリースに含まれる基油の残存量との関係を複数の計測値として取得する計測工程と、複数の計測値に基づいて回転時間と基油の残存量との関係を示す回帰線を求めるデータ処理工程と、基油の限界残存量を示す油分限界線と回帰線との交点における回転時間を軸受の寿命とする寿命判定工程とを有する、という手段を採用する。
【０００９】
軸受寿命評価方法に係る第２の解決手段として、上記第１の解決手段において、計測工程では、軸受の実使用状態に対応する回転条件で軸受を回転させて計測値を取得する、という手段を採用する。
【００１０】
軸受寿命評価方法に係る第３の解決手段として、上記第１または第２の解決手段において、計測工程では、同一形態の複数の軸受について計測値を取得し、データ処理工程では、回転時間毎に各軸受の計測値の平均値を求め、当該各平均値に基づいて回帰線を求める、という手段を採用する。
【００１１】
また、本発明では、軸受寿命評価装置に係る第１の解決手段として、グリース潤滑タイプの軸受の寿命を評価する軸受寿命評価装置であって、軸受を特定の回転条件下で回転させる回転試験機と、軸受の寿命よりも短い期間として予め見積られた試験時間について、複数の回転時間におけるグリースに含まれる基油の残存量を計測する油分計測器と、油分計測器から入力される複数の計測値に基づいて回転時間と基油の残存量との関係を示す回帰線を求め、基油の限界残存量を示す油分限界線と回帰線との交点を求め、当該交点における回転時間を軸受の寿命とする演算装置とを備える、という手段を採用する。
【００１２】
軸受寿命評価装置に係る第２の解決手段として、上記第１の解決手段において、回転試験機は、軸受の実使用状態に対応する回転条件で軸受を回転させる、という手段を採用する。
【００１３】
軸受寿命評価装置に係る第３の解決手段として、上記第１または第２の解決手段において、演算装置は、同一形態の複数の軸受について油分計測器から入力される計測値について回転時間毎に平均値を求め、当該各平均値に基づいて回帰線を求める、という手段を採用する。
【発明の効果】
【００１４】
本発明によれば、軸受の寿命よりも短い期間として予め見積られた特定時間内について得られた基油の残存量との関係を示す複数の計測値に基づいて回転時間と基油の残存量との関係を示す回帰線を求め、基油の限界残存量を示す油分限界線と回帰線との交点における回転時間を軸受の寿命とするので、つまり従来のように基油の限界残存量まで回転試験を行わないので、グリース潤滑タイプの軸受の寿命を従来よりも短時間で評価することができる。
【図面の簡単な説明】
【００１５】
【図１】本発明の一実施形態に係る軸受寿命評価装置Ａの機能構成を示すブロック図である。
【図２】本発明の一実施形態に係る軸受寿命評価装置Ａの動作を示すフローチャートである。
【図３】本発明の一実施形態に係る軸受寿命評価方法を示す特性図である。
【発明を実施するための形態】
【００１６】
以下、図面を参照して、本発明の一実施形態について説明する。
本実施形態に係る軸受寿命評価装置Ａは、図１に示すように、回転試験機１、油分計測器２及び制御演算装置３によって構成されており、グリース潤滑タイプの軸受を評価対象とする。このような軸受には、玉やころを転動体とする転がり軸受（玉軸受やころ軸受）がある。すなわち、本軸受寿命評価装置Ａの評価対象は、外輪と内輪との間に転動体を介装すると共に、当該外輪と転動体との間及び内輪と転動体との間に潤滑剤としてのグリースを充填したものである。なお、このような転がり軸受は、受ける荷重の方向（種類）に応じてラジアル軸受とスラスト軸受とに大別されるが、本軸受寿命評価装置Ａは、ラジアル軸受とスラスト軸受との何れをも評価対象とする。
【００１７】
回転試験機１は、制御演算装置３による制御の下に、評価対象である軸受を特定の回転条件で回転させる装置である。軸受は用途に応じて様々な回転条件、例えば回転速度、使用温度及び使用荷重の下で使用されるが、回転試験機１は、評価対象である軸受の実使用条件（回転条件）で軸受を回転させる。例えば、回転速度、使用温度及び／あるいは使用荷重が周期的に変動するような使用環境で用いられる軸受を評価対象とする場合、回転試験機１は、制御演算装置３から入力させる回転制御信号に基づいて上記周期的な変動を模擬した回転条件で軸受を回転させる。
【００１８】
また、回転試験機１で軸受を回転させる試験時間Ｋは、軸受に想定される寿命よりも大幅に短い期間として予め見積られた時間である。すなわち、回転試験機１は、制御演算装置３から入力させる回転制御信号に基づいて、このような試験時間Ｋを軸受の最長回転時間として軸受を回転させると共に、当該試験時間Ｋ内において回転開始から一定時間が経過する毎に回転を停止、つまり軸受を一定時間毎に間欠回転させる。この一定時間つまり回転開始から回転停止するまでの時間（単位回転時間）は、制御演算装置３から入力される回転制御信号によって規定される。
【００１９】
油分計測器２は、制御演算装置３による制御の下に、上記回転試験機１による軸受の回転が停止する度にグリースに含まれる基油の残存量を計測する計測器である。すなわち、この油分計測器２は、回転試験機１による軸受の回転が完全に停止すると制御演算装置３から入力される計測開始信号に基づいて、軸受における基油の残存量を計測し計測値として制御演算装置３に出力する。したがって、試験時間Ｋにおいて油分計測器２が取得する計測値の個数は、試験時間Ｋにおいて軸受が回転を停止する回数によって規定される。
【００２０】
制御演算装置３は、所定の寿命評価プログラムに基づいて回転試験機１及び油分計測器２を制御すると共に、油分計測器２から入力される複数の計測値（基油の残存量）に基づいて軸受の寿命を求める一種のコンピュータである。すなわち、制御演算装置３は、寿命評価プログラムに基づいて回転試験機１及び油分計測器２を制御しつつ油分計測器２から各計測値（基油の残存量）を取得し、当該各計測値（基油の残存量）に基づいて軸受の寿命を特定する。
【００２１】
より詳細には、制御演算装置３は、寿命評価プログラムに基づいて、油分計測器２から順次入力される計測値（基油の残存量）を軸受の回転時間とセットにし、当該基油の残存量と回転時間とからなる時系列データを計測データとして順次記憶すると共に、当該計測データに統計的なデータ処理を施すことにより軸受の寿命を求める。また、制御演算装置３は、上記データ処理として、計測データから回転時間と基油の残存量との関係を示す寿命予測線Ｙを求め、基油の限界残存量を示す油分限界線Ｇと寿命予測線Ｙとの交点を求め、当該交点における回転時間を軸受の寿命Ｔとする。上記限界残存量は、軸受が焼き付等の異常を発生することがなく正常に機能する基油の残存量として見積られる値である。
【００２２】
次に、このように構成された本軸受寿命評価装置Ａの動作、つまり本軸受寿命評価装置Ａを用いた軸受寿命評価方法を図２のフローチャートに沿って詳しく説明する。なお、このフローチャートは、寿命評価プログラムに基づく制御演算装置３の処理手順、つまり上記軸受寿命評価方法の工程を示すものである。
【００２３】
制御演算装置３は、寿命評価プログラムに基づく処理を開始すると、最初に初期設定処理を行う（ステップＳ1）。この初期設定処理は、上述した軸受の回転条件、単位回転時間、初期計測データ、油分計測器２における計測回数の上限値（規定回数）、内部カウンタの値及び油分限界値等を内部設定する処理である。なお、本実施形態では、一例として、回転速度、使用温度及び使用荷重が回転条件として、基油の残存量＝１００（重量％）及び回転時間＝０時間（ｈ）が初期計測データＸ0として、「５回」が規定回数として、「１」が内部カウンタの値として、また「６０重量％」が限界残存量として初期設定される。
【００２４】
ここで、単位回転時間に規定回数を乗算した時間が回転試験機１における軸受の実効的な試験時間Ｋとなるが、この試験時間Ｋは、上述したように軸受の想定寿命よりも大幅に短い時間として予め見積られた軸受の最長回転時間である。換言すると、単位回転時間及び規定回数は、試験時間Ｋが軸受の想定寿命よりも短い時間となるように設定される。本実施形態では、一例として、軸受の想定寿命を２０００時間以上と見積もり、この見積もりに基づいて試験時間Ｋを１０００時間に設定することにより、単位回転時間を２００時間、また規定回数を５回としている。
【００２５】
そして、制御演算装置３は、上記回転条件に基づいて生成した回転制御信号を回転試験機１に出力することにより軸受を回転条件に即して回転させる（ステップＳ2）。そして、制御演算装置３は、回転試験機１による軸受の回転開始から単位回転時間が経過したか否かを監視し、単位回転時間が経過すると（ステップＳ3）、回転試験機１に回転制御信号を出力することにより軸受の回転を一時停止させる（ステップＳ4）。
【００２６】
そして、制御演算装置３は、このようにして軸受が完全停止すると計測開始信号を油分計測器２に出力することにより軸受に充填されたグリ−スに含まれる基油の残存量を計測させる（ステップＳ5）。そして、制御演算装置３は、計測結果である計測値（基油の残存量）を油分計測器２から取得し、当該計測値と回転時間とを第１（初回）の計測データＸ1として内部に記憶する（ステップＳ6）。すなわち、この時点では、軸受の評価開始から単位回転時間が経過した段階なので、制御演算装置３は、計測値と回転時間とを第１の計測データとして記憶すると共に、計測回数を示す内部カウンタを初期値「１」から「２」にインクリメントする。
【００２７】
そして、制御演算装置３は、計測回数が規定回数（５回）に到達したか否かを判定する（ステップＳ7）。なお、この時点では第１の計測データＸ1を取得した段階なので、判定結果がは「Ｎｏ」となるので、制御演算装置３は、引き続いてステップＳ2の処理を実行することにより軸受を再度回転させ、さらにステップＳ3〜Ｓ6の処理を実行することにより第２（２回目）の計測データＸ2を内部に記憶する。すなわち、制御演算装置３は、ステップＳ2〜Ｓ7の処理を繰り返し実行することにより、第１〜第５の計測データＸ1〜Ｘ5を内部に記憶する。
【００２８】
そして、制御演算装置３は、このようなステップＳ2〜Ｓ7の処理に基づいて得られた第１〜第５の計測データＸ1〜Ｘ5及びステップＳ1の処理で初期設定された初期計測データＸ0（第０の計測データ）に統計的なデータ処理（例えば最小二乗法に基づく処理）を施すことにより軸受の回転時間と基油の残存量との関係を示す回帰線を求める（ステップＳ8）。すなわち、制御演算装置３は、第０〜第５の計測データＸ0〜Ｘ5に最もフィッティング回帰線（回帰直線あるいは回帰曲線）の方程式を寿命予測線Ｙとして求める。
【００２９】
図３は、このように第０〜第５の計測データＸ0〜Ｘ5に最もフィッティングする寿命予測線Ｓを回帰曲線として示す特性図である。制御演算装置３は、このような寿命予測線ＳとステップＳ1の処理で初期設定された限界残存量（６０重量％）によって与えられる油分限界線Ｇとに基づいて寿命判定処理を行う（ステップＳ9）。すなわち、制御演算装置３は、寿命予測線Ｓの方程式と油分限界線Ｇの方程式とからなる連立方程式を解くことにより交点Ｐの座標を求め、当該交点Ｐの座標のうち横軸の座標値である回転時間を軸受の寿命Ｔとして特定する。
【００３０】
このような本実施形態によれば、図３から容易にわかるように、軸受の寿命Ｔよりも大幅に短い期間として見積られた試験時間Ｋにおいて第０〜第５の計測データＸ0〜Ｘ5を取得し、当該第０〜第５の計測データＸ0〜Ｘ5に基づいて寿命予測線Ｓを取得して軸受の寿命Ｔを推定するので、つまり従来のように基油の限界残存量（６０重量％）までを試験時間とすることなく軸受の寿命Ｔを特定することができるので、グリース潤滑タイプの軸受の寿命を従来よりも短時間で評価することができる。
【００３１】
ここで、寿命予測線Ｓは、第０〜第５の計測データＸ0〜Ｘ5に基づいて推定されたものであり、よって寿命予測線Ｓの推定精度は軸受の寿命Ｔの推定精度を支配する。この寿命Ｔの推定精度を向上させるためには、計測データ（計測値）の個数を増やすことが有効である。また、試験時間Ｋを軸受の想定寿命（２０００時間以上）に近づけることによって、つまり試験時間Ｋを長くすることによっても、寿命Ｔの推定精度を向上させることができる。しかしながら、試験時間Ｋを長くすることは、本発明の目的に逆行する方向の措置となる。すなわち、試験時間Ｋと寿命Ｔの推定精度とはトレードオフの関係にあるので、試験時間Ｋは、寿命Ｔの推定精度の要求レベルに応じて適宜設定されることになる。
【００３２】
また、本実施形態によれば、制御演算装置３が回転試験機１及び油分計測器２を自動制御しつつ油分計測器２から各計測値（基油の残存量）を自動的に取得して寿命予測線Ｓを求めるので、寿命評価の作業性が極めて良好である。
【００３３】
なお、本発明は上記実施形態に限定されるものではなく、例えば以下のような変形例が考えられる。
（１）上記実施形態では、制御演算装置３が回転試験機１及び油分計測器２を自動制御しつつ油分計測器２から各計測値（基油の残存量）を自動的に取得するようにしたが、本発明はこれに限定されるものではない。回転試験機１及び油分計測器２が個別に動作して各計測値（基油の残存量）を取得し、当該各計測値（基油の残存量）を制御演算装置３に手動入力するようにしても良い。
【００３４】
（２）上記実施形態では、１台の回転試験機１を設けるようにしたが、本発明はこれに限定されるものではない。例えば、回転試験機１を複数台設けることにより同一形態（同一型番）の複数の軸受を並行して回転試験し、各軸受の計測値を１台の油分計測器２で順次取得し、同一回転時間毎に各軸受から得られた計測値の平均値を求め、当該各平均値に基づいて寿命予測線Ｓ（回帰線）を求めても良い。この場合、個体は異なるものの同一形態（同一型番）の複数の軸受について実測された計測値に基づいて寿命予測線Ｓを求めるので、上記実施形態よりも推定精度の高い軸受の寿命Ｔを取得することができる。
【００３５】
（３）上記実施形態における試験時間Ｋ（１０００時間）、規定回数（５回）、基油の限界残存量（６０重量％）及び軸受の想定寿命（２０００時間以上）は、あくまで一例であり、本発明はこれに限定されるものではない。
（４）図３では寿命予測線Ｓを回帰曲線として示しているが、寿命予測線Ｓが回帰曲線となるかあるいは回帰直線となるかは、専ら第０〜第５の計測データＸ0〜Ｘ5に依存する。したがって、寿命予測線Ｓが回帰直線として取得される場合もある。
【符号の説明】
【００３６】
Ａ…軸受寿命評価装置、１…回転試験機、２…油分計測器、３…制御演算装置
【図１】
2012137389.tif 000003
【図２】
2012137389.tif 000004
【図３】
2012137389.tif 000005